(57)【特許請求の範囲】
【請求項１】
浴槽の外部に設けた循環パイプの吸込み側に接続されて前記浴槽に取付けられる吸込口の構造において、浴槽の外側に吸込口本体が取り付けられ、かつ浴槽の内側に取り付けられると共に前記吸込口本体に螺合されるブシュに、カバー部材が前記ブシュに圧着した状態でブシュの周方向に回動可能に、かつ軸方向に移動しないように係合されて、前記吸込口には、前記浴槽の内側から回動可能で、かつ湯水が流通可能なフィルターを兼ねた前記カバー部材が取り付けられていることを特徴とする循環式浴槽の吸込口構造。
【請求項２】
前記カバー部材に係合して回動する弁体を有すると共にその弁体の回動動作により湯水の流路を開閉する開閉弁を前記吸込口の内部に設けたことを特徴とする請求項１に記載の循環式浴槽の吸込口構造。
【請求項３】
前記吸込口には、前記浴槽の内側から着脱可能で且つ湯水が流通可能な前記カバー部材を有し、このカバー部材に係合して回動する前記弁体を有すると共にその弁体の回動動作により前記湯水の流路を開閉する前記開閉弁を前記吸込口の内部に設け、かつ前記カバー部材が前記吸込口から離脱している状態のときは、前記開閉弁が前記流路を遮蔽するようにしたことを特徴とする請求項２に記載の循環式浴槽の吸込口構造。
【請求項４】
前記吸込口本体における円筒部内に、内部に流路を備えている前記弁体が嵌合配置されると共に、前記弁体が円筒部の端部から浴槽側に突出しないように配置され、かつ前記弁体が閉弁位置から開弁位置の所定角度の範囲内のみ回動可能に嵌設されていることを特徴とする請求項２または３に記載の循環式浴槽の吸込口構造。
【請求項５】
前記弁体の筒状壁に設けられた弁体回動用脚片用凹部に、カバー部材における弁体回動用脚片が嵌設され、かつ前記弁体回動用脚片に設けた突起が、吸入口本体の円筒部に設けた係止用溝に着脱可能に係止されていることを特徴とする請求項２〜４のいずれかに記載の循環式浴槽の吸込口構造。
【発明の詳細な説明】
【０００１】
【発明の属する技術分野】
本発明は、浴槽の湯水を循環させて噴流を発生させる循環式浴槽の吸込口装置に関する。
【０００２】
【従来の技術】
近年は、健康指向の高まりによって、浴槽の湯水を循環させて噴流を発生させるジェット噴流バスが普及している。このジェット噴流バスは、循環式浴槽の一種であり、循環ポンプなどを含む循環配管路を浴槽の外部に設けて浴槽と接続している。そして、浴槽の底面に近い壁面には湯水の吸込口を設け、この吸込口より高い位置の浴槽壁面には、湯水と気泡を噴出するための吐き出し口が設けられた構造になっている。
【０００３】
循環ポンプの吸引力は、その揚程が強力であるため、吸込口からタオルその他の異物が吸い込まれるのを防止するため、吸込口はカバー部材で覆うのが一般的である（たとえば、特開平８−１７３４９４号公報）。
【０００４】
【発明が解決しようとする課題】
このカバー部材が何らかの原因で吸込口から離脱している状態でジェット噴流バスを使用していると、異物が吸込口に吸い込まれる恐れがある。そのため、このような不具合を確実に防止することができる技術が求められていた。実用新案登録第２５８６５０７号公報および特開２０００−３７４３４号公報などには、異物が吸込口に吸い込まれた場合に、電気的信号を出力して循環ポンプを停止する制御などを行う技術が開示されている。しかしながら、これら二つの公報に記載された従来技術は、異物が吸込口に吸い込まれた後の対策であるので、異物が吸込口に吸い込まれる以前の対策が求められていた。また、電気的信号に基づいて循環ポンプを制御しているが、これより確実に吸込みを遮蔽するなどの直接的な対策が求められていた。
【０００５】
また、このような課題を解決するために、循環式浴槽の吸込口に異物が吸い込まれないうちに、吸込口の流路を確実に遮蔽するために、カバー部材が何らかの原因で吸込口から離脱している状態では、ばね等の付勢手段により閉弁させるようにした循環式浴槽の吸込口構造も考えられ、本出願人により特願２００１−３００８８２号（特開２００３−１０２６３２号）として出願されている。
【０００６】
しかし、前記特願２００１−３００８８２号（特開２００３−１０２６３２号）の場合は、ばね等の付勢手段により閉弁させるようにした吸込口構造であるため、部品点数が多く、構造が複雑になり、高価になるという問題があった。
【０００７】
本発明は、この課題を解決するためになされたもので、カバー部材が吸込口から離脱している状態では、吸込口の流路を確実に遮蔽するようにした信頼性が高く、部品点数も少なく、構造的に簡単で、コストも低減でき、取り扱いも簡単な吸込口装置を提供することを目的とする。
【０００８】
【問題を解決するための手段】
上述の目的を達成するため、請求項１に記載の循環式浴槽の吸込口構造では、浴槽１の外部に設けた循環パイプ２の吸込み側に接続されて前記浴槽に取付けられる吸込口の構造において、浴槽１の外側に吸込口本体３２が取り付けられ、かつ浴槽１の内側に取り付けられると共に前記吸込口本体３２に螺合されるブシュ４５に、カバー部材３が前記ブシュ４５に圧着した状態でブシュ４５の周方向に回動可能に、かつ軸方向に移動しないように係合されて、前記吸込口５には、前記浴槽１の内側から回動可能で、かつ湯水が流通可能なフィルターを兼ねた前記カバー部材３が取り付けられていることを特徴とする。
【０００９】
また、請求項２の発明においては、請求項1に記載の循環式浴槽の吸込口構造において、前記カバー部材３に係合して回動する弁体１９を有すると共にその弁体１９の回動動作により前記湯水３の流路Ｌを開閉する開閉弁４を前記吸込口５の内部に設けたことを特徴とする。
【００１０】
さらに、請求項３の循環式浴槽の吸込口構造においては、請求項２に記載の循環式浴槽の吸込口構造において、前記吸込口５には、前記浴槽１の内側から着脱可能で且つ湯水１２が流通可能な前記カバー部材３を有し、このカバー部材に係合して回動する前記弁体を有すると共にその弁体の回動動作により前記湯水の流路を開閉する開閉弁を前記吸込口の内部に設け、かつ前記カバー部材３が前記吸込口５から離脱している状態のときは、前記開閉弁４が前記流路Ｌを遮蔽するようにしたことを特徴とする。
【００１１】
さらにまた、請求項４の発明においては、請求項２または３に記載の循環式浴槽の吸込口構造において、前記吸込口本体３２における円筒部３３内に、内部に流路を備えている弁体１９が嵌合配置されると共に、前記弁体１９が円筒部３３の端部から浴槽１側に突出しないように配置され、かつ前記弁体１９が閉弁位置から開弁位置の所定角度の範囲内のみ回動可能に嵌設されていることを特徴とする。
【００１２】
また、請求項５の発明においては、請求項２〜４のいずれかに記載の循環式浴槽の吸込口構造において、前記弁体１９の筒状壁に設けられた弁体回動用脚片用凹部２８に、カバー部材３における弁体回動用脚片６０が嵌設され、かつ前記弁体回動用脚片６０に設けた突起６１が、吸入口本体３２の円筒部３３に設けた係止用溝に着脱可能に係止されていることを特徴とする。
【００１３】
【発明の実施の形態】
次に、図によって本発明の一実施形態を詳細に説明する。
（第１の実施形態）
図１は、本発明にかかる循環式浴槽を示す概略説明図である。図２ないし図９は本発明の一実施形態を示す図で、図２は吸込口装置を示す一部縦断側面図、図３（ａ）は吸込口本体の正面図、（ｂ）は（ａ）のＡ−Ａ線断面図である。
図４（ａ）は図３（ａ）のＢ−Ｂ線断面図、図４（ｂ）は図３（ａ）のＣ矢視図である。図５（ａ）はブシュの正面図、（ｂ）は一部縦断側面図、（ｃ）は（ｂ）の一部を拡大して示す図である。図６（ａ）は開閉弁の平面図、（ｂ）は正面図、（ｃ）は（ｂ）のＦ−Ｆ線断面図、（ｄ）は側面図である。図７（ａ）カバー部材の正面図、（ｂ）は底面図である。図８（ａ）はカバー部材の一部縦断側面図、（ｂ）は（ａ）のＤ−Ｄ線断面図、（ｃ）は（ａ）の一部を拡大して示す図、（ｄ）は（ｃ）のＥ−Ｅ線断面図である。図９は段付きボルトを示す図、図１０および図１１は、開閉弁が閉弁および開弁状態の説明図である
【００１４】
本実施形態では、循環式浴槽としてジェット噴流バスを例にとって説明するが、本発明は、ジェット噴流バス以外の循環式浴槽の吸込口にも適用可能である。まず始めに、ジェット噴流バスについて説明する。
【００１５】
図１に示すように、ジェット噴流バス６では、循環ポンプ７および循環パイプ２，８などを含む循環配管路９が、浴槽１の外部に設けられている。浴槽１の底面１０の高さ位置に近い壁面１１には、循環配管路９に連通接続された一つ（または、複数）の吸込口５が設けられている。浴槽壁面１１の下部は、湾曲部１０ａを介して底面１０に及んでいる。
【００１６】
吸込口５より高い位置の浴槽壁面１１には、湯水１２と気泡１３を噴出するために循環配管路９に連通接続された複数（ここでは、二つ）の吐き出し口１４が設けられている。浴槽１の上部には、循環配管路９の吸気管１５に連通接続された空気取入れ口１６が設けられている。
【００１７】
吸込口５と循環ポンプ７は、吸入み側の循環パイプ２により接続され、循環ポンプ７と吐き出し口１４は、吐出側の循環パイプ８により接続されている。吸気管１５は、吐出側の循環パイプ８に連通接続されている。なお、吸気管１５は循環ポンプ７に連通接続された場合であってもよい。
【００１８】
空気は、空気取入れ口１６から吸気管１５を通って吐出側の循環パイプ８に吸引され（矢印Ｂ１）、吐出側の循環パイプ８を流れる湯水に混入して、吐き出し口１４から噴流１７として噴出される。
【００１９】
前記構成のジェット噴流バス６において、循環ポンプ７が運転されると、浴槽１内の湯水１２が、矢印Ｂ４に示すように吸込口５から吸い込まれて吸入み側循環パイプ２を通って循環ポンプ７に流入する（矢印Ｂ２）。循環ポンプ７で圧力の上昇した湯水１２は、吐出側の循環パイプ８を流れ（矢印Ｂ３）、空気取入れ口１６と吸気管１５を通って流入した空気と混合した後、吐き出し口１４から噴流１７として浴槽１内に噴出されて循環する。
【００２０】
吐き出し口１４から噴出された噴流１７は、浴槽１内の人間の腰などに当たって、こりや疲れなどが効果的に緩和される。このように、浴槽１内の湯水１２は、循環使用され、湯水１２に混じっているごみなどは、吸込口５における後記のフィルターを兼ねたカバー３により阻止されるので、循環する湯水１２は、常に比較的清浄に保たれている。
【００２１】
次に、本発明の一実施形態の循環式浴槽の吸込口構造における吸込口５について説明する。
まず、吸込口５の部分の要部概略構造について簡単に説明すると、浴槽１の外部に配置されて取り付けられる吸込口本体３２における内側円筒部３３内に、弁体１９が収納されるように配置され、この弁体１９の弁体回動用凹部２８に係合するように、カバー部材３の弁体回動用脚片６０が挿入され、またカバー部材３が浴槽１の内側に配置されて前記吸込口本体３２に連結されて取り付けられるブシュ４５のフランジ４７に軸方向に移動しないように係合され、カバー部材３を把持した状態で、これを強制的に回動することにより、弁体１９を閉弁位置から開弁位置に回動し、また、カバー部材３が離脱しているときには、弁体１９が閉弁位置に回動されるように構成されている。
さらに具体的に説明すると、図１ないし図９に示すように、吸込口５は、浴槽１の外部に設けた循環パイプ２の吸込み側に接続されて浴槽１に取付けられている。吸込口５は、湯水１２が流通可能な有底筒状の合成樹脂製カバー部材３を、浴槽１の内側から着脱可能に装着した構造を有している。
【００２２】
吸込口５の内部には、カバー部材３の回動動作により回動される弁体１９により、湯水１２の流路Ｌを開閉する開閉弁４が設けられている。カバー部材３が吸込口５から離脱している状態のときは、開閉弁４が流路Ｌを遮蔽するようになっている。
【００２３】
開閉弁４は、開閉弁４の中心軸線ＣＬのまわりに回動可能な合成樹脂製弁体１９を備えている。前記弁体１９の構成について図６を参照して説明すると、軸方向の一端側が開口されている有底筒状弁体１９における筒状壁２１の中間部外周面にＯリング嵌合用の環状溝２２が設けられ、底部１８の外面には、ほぼ半球状突条からなる位置規制用凸部２３が設けられ、底部内側の中心部には、中心軸線ＣＬと同心状に段付きボルト挿通用透孔２４を備えた内向きフランジ２０を有するボルト挿通用凸部２５が軸方向内向きに一体に設けられ、前記凸部２５の裏面側（底部１８の外面側）には、連結部収納用凹部２６が形成されている。前記環状溝２２から底部側に離れた位置において、前記弁体１９の底部側の側周壁には、開口部２７が設けられ、その開口部２７と反対側の底部外面に、前記位置規制用凸部２３が設けられている。
【００２４】
さらに図６（ａ）を参照して説明すると、前記弁体１９の一端側の開放端部の側周面には、筒状壁２１を半径方向に貫通すると共に開口端側に開口する弁体回動用脚片用凹部２８が中心軸線ＣＬを中心として対称位置に設けられ、前記弁体回動用脚片用凹部２８は、前記凸部２５と中心軸線ＣＬを結ぶ軸線ＣＬ１に対して直交する軸線ＣＬ２を中心とするように、中心軸線ＣＬを中心として対称に設けられている。
【００２５】
前記軸線ＣＬ１を中心軸線とするように、筒状壁２１の開口端側には、筒状壁２１を貫通する一対のスリット２９が間隔を設けられていると共に、前記スリット２９間の中央部に、筒状壁２１の肉厚よりも薄い押圧片３０が筒状壁２１に一体に設けられ、前記押圧片３０の周方向外周面は、周方向端部側から中央部に向って、筒状壁２１の外周面より半径方向外側に突出する円弧状外面３１に形成され、周方向端部側では筒状壁２１の外周面とほぼ同じ周面上に位置している。前記押圧片３０は筒状壁２１の周方向に等角度間隔を置いて複数（図示の場合は、１８０°間隔で２つ）設けられている。前記円弧状外面３１の突出部の半径方向の寸法は、合成樹脂製吸込口本体３２の内側円筒部３３の半径よりも若干大きく設定されている。したがって、カバー部材３が取り付けられていない状態でも、弁体１９は、湯水１２の流れのみによっては、前記内側円筒部３２内を回動しないように、規制される。
【００２６】
開閉弁４は、カバー部材３が離脱している状態では、流路Ｌが閉弁状態になるように、弁体１９の位置が規制されている。
【００２７】
循環パイプ２の吸込み側には、吸込口５の吸込口本体３２が連通接続されている。吸込口本体３２は有底中空の内側円筒部３３を有し、前記円筒部３３には、小径の出口３４ａおよびこれに接続する大径の出口部３４が一体的に形成されている。出口部３４には、循環パイプ２が連通接続されている。
【００２８】
吸込口本体３２には、浴槽壁面１１に対向配置されるフランジ部３５が一体形成されている。フランジ部３５の端面には、パッキン３６を装着するための円環状の溝部３７が形成されている。また、フランジ部３５を備えた外側筒状部３７が本体３２に一体に設けられ、その外側筒状部３７の内面には、雌ねじ３８が設けられている。
【００２９】
前記外側筒状部３７の内側に、前記内側円筒部３３が同心状に本体３２と一体に設けられ、内側円筒部３３の吸込口側の内周面には、その肉厚内において、吸い込み口側に開口し内側円筒部軸方向に延長する複数のカバー部材係止突起挿入用溝４０が中心軸線ＣＬを中心として対称位置（図示の場合は２箇所）に設けられ、かつこれに接続すると共に内周方向に延長するようにほぼ９０°にわたってカバー部材係止突起係止用溝４１が設けられている。前記カバー部材係止突起挿入用溝４０は中心軸線ＣＬ２を中心とするように設けられ、前記出口部３４の中心軸線と一致している。
【００３０】
前記カバー部材係止突起挿入用溝４０に対して９０°の間隔をおいて、前記カバー部材係止突起挿入用溝４０よりも浅溝の複数の弁体位置確認用溝４３が設けられ、各弁体位置確認用溝４３は軸方向に延長するように設けられて、カバー部材係止突起係止用溝４１に接続されている。前記カバー部材係止突起挿入用溝４０と弁体位置確認用溝４３の溝巾は、ほぼ同巾寸法に形成されて、後記の弁体１９における押圧片３０の円弧状外面３１を収容できるように構成され、また後記のカバー部材３における係止突起６１（図２、図８参照）を前記カバー部材係止突起挿入用溝４０から挿入し、浅溝の複数の弁体位置確認用溝４３から挿入できないように、前記カバー部材３における係止突起６１間の直径方向の寸法は、弁体位置確認用溝４３間の内径寸法よりも大きく、カバー部材係止突起挿入用溝４０間の内径寸法よりも小さくなるように、適宜設定される。
【００３１】
また、吸込口本体３２の内側円筒部３３の深さ寸法Ｄ（図３ｂ参照）は、弁体１９の軸方向の長さ寸法ｄ（図６ｃ参照）よりも大きく設定されて、カバー部材３を取外した状態でも、浴槽１内に弁体１９が突出しないように構成されている。また、前記内側円筒部３３の底板部６４には、中心軸線ＣＬと同心状に雌ねじ部材からなるインサート６５が円柱状の凸部４２に埋め込み固定され、インサート６５の雌ねじ孔が内側円筒部３３内に開口している。前記インサート６５および円柱状の凸部４２により連結部が構成され、前記連結部収納用凹部２６に配設される。
【００３２】
さらに、底板部６４には、図３に示すように、前記出口３４ａおよび出口部３４側から９０°離れた位置（ほぼ弁体位置確認用溝４３）から始まり、出口部３４の中心軸線ＣＬ２における出口３４ａと反対側のほぼ中心軸線付近まで（ほぼカバー部材係止突起挿入用溝４０まで）時計方向に延長するように円弧状の弁体位置規制用溝６６が設けられている。前記の弁体位置規制用溝６６は、ほぼ内側円筒部３３における弁体位置確認用溝４３とカバー部材係止突起挿入用溝４０までのほぼ９０°の範囲で設けられている。
【００３３】
前記弁体位置規制用溝６６により、弁体１９を吸込口本体３２における内側円筒部３３内に挿入した時に、弁体１９における位置規制用凸部２３が前記弁体位置規制用溝６６に挿入されない状態から挿入される時には、弁体１９の軸方向の移動が生じるので、弁体１９が吸込口本体３２における内側円筒部３３の軸方向の所定の位置に設置されたことを手の触感または目視により確認することができる。
【００３４】
また、前記の位置規制用凸部２３と弁体位置規制用溝６６により、弁体１９はほぼ９０°の範囲で、閉弁位置から開弁位置の回動移動ができるようにされている。このように弁体１９と出口３４ａを有する内側円筒部３３等により開閉弁４が構成されている。
【００３５】
前記弁体１９は、その環状溝２２に止水用Ｏリング６７が嵌合された状態で、内側円筒部３３内の所定の位置に挿入配置され、弁体１９における段付きボルト挿入用透孔２４に挿入されると共に、前記インサート６５に螺合されたステンレス製段付きボルト６８により、回動可能に装着されている。前記段付きボルト６８は、図９に示すように、回動工具係合用溝７０を備えた大径頭部７１と、ボルト挿通孔２４に嵌設される中間軸部７２と、前記中間軸部７２よりも小径の雄ねじ軸部７３を先端側に備えている。前記中間軸部７２の軸方向の寸法は、弁体１９における内向きフランジ２０の厚さよりも僅かに大きく設定されて、弁体１９を吸込口本体３２の底板部６４に圧着させないようにしている。そして前記弁体１９は内側円筒部３３内において、ほぼ９０°の範囲にいて回動移動可能に構成されている。
【００３６】
前記Ｏリング６７が前記内側円筒部３３の内周面に圧着することにより、弁体１９の外周面と内側筒状体３３の内周面間からの湯水の流れを防止し、また、弁体１９が内側円筒部３３内において、中心軸線ＣＬの回りに自由に回動移動するのを防止していると共に、中心軸線ＣＬ方向、すなわち浴槽１の内側方向に抜け出すのを段付きボルト６８と共に防止している。したがって、カバー部材３を取り除いた状態においても、弁体１９を吸込口本体３２から取り出すためには、段付きボルト６８を取り外した上で、前記のＯリング６７の圧着力に抗する力が必要であり、簡単に内側円筒部３３から取り出せないように構成されている。
【００３７】
また弁体１９の軸方向の寸法が内側円筒部３３の深さよりも短い寸法であるので、内側円筒部３３内の隠れた位置となっており、弁体１９が浴槽１の内側に突出しないように構成されているので、カバー部材３を外した状態（閉弁状態）でも、簡単に操作されないようにされている。なお、前記開閉弁４における弁体１９の中心軸線と、前記カバー部材３の中心軸線と、内側円筒部３３が同一中心軸線になるように配置されている。
【００３８】
図２および図５に示すように、浴槽壁面１１には円形の開口部４４が形成され、開口部４４には、浴槽１内側の受金具となっているフランジ付き円筒状のブシュ４５が浴槽１の内部側から装着される。ブシュ４５の円筒部４６の一端には、大径のフランジ部４７が一体形成されている。前記フランジ４７には等角度間隔をおいて複数の回動工具係合用透孔４７ａが設けられ、前記透孔４７ａに回動工具を係合させることにより、ブシュ４５を回動できるようにしている。
【００３９】
前記フランジ部４７の側周面には、フランジ部４７の板厚内において、カバー部材３を着脱可能に支持するための環状係止溝４８が、円周方向全周に渡って形成されている。また、前記円筒部４６の外周面には、雄ねじ５０が設けられ、前記吸込口本体３２における外側円筒部３７の雌ねじ部３８に螺合連結可能に構成されている。
【００４０】
前記フランジ部４７の環状係止溝４８には、図７および図８に示すカバー部材３における係止部４９が係合離脱可能に係合される。
【００４１】
図７および図８に示すように、この実施形態のカバー部材３では、表面板５１に千鳥状に多数の貫通した小孔からなる湯水流入孔５２を有すると共に、前記表面板５１に接続する周側面板５３の基端側に、等角度間隔をおいて複数列の多数の貫通した小孔からなる湯水流入孔５２を備えている凹溝状のフィルターを兼ねたカバー部材３とされ、前記多数の小孔は異物の流入を防ぐフィルターとされ、前記多数の湯水流入孔５２の合計面積は、本体３２における出口３４ａの面積より大きく（図示の形態では２倍程度）設定され、カバー部材３内に流入する湯水１２の流速を遅くし、吸い込み力を小さくしている。また、前記凹溝状のカバー部材３における前記周側面板５３の先端部内側には、環状の段部５４が形成されて、その環状の段部５４の先端側は、薄肉の分割環状部５５とされている。
【００４２】
前記分割環状部５５は、周方向に間隔をおいて、軸方向に延長する一対のスリット５６が比較的接近した間隔で設けられ、前記スリット５６によって区画形成されたカバー部材３の係止部４９が周方向に等角度間隔（図示の場合は、９０°間隔）を置いて設けられ、その各係止部４９の内側の軸方向中間部には周方向に延長するように断面ほぼ半円状の係止凸部５８が設けられ、かつ前記各係止部４９とそれ以外の分割環状部５５の軸方向先端部内側には、端部に向って拡開するように傾斜する傾斜ガイド面５９が形成されている。
【００４３】
カバー部材３を手で把持した状態で、ブシュ４５のフランジ部４７に分割環状部５５を嵌合させるようにすると、前記傾斜ガイド面５９により、カバー部材３の分割環状部５５がフランジ部４７にガイドされながら嵌合され、かつ前記係止部４９の弾性変形により、前記係止凸部５８をブシュ４５における環状係止溝４８に嵌合でき、また係止凸部５８によりフランジ部４７を把持した状態でカバー部材３の回動を防止し、また、カバー部材３を手で把持した状態で、前記環状係止溝４８に沿って係止凸部５８を強制回動移動できるように構成されている。
【００４４】
また、前記カバー部材３の表面板５１の内側には、等角度間隔を置いて複数（図示の場合は２つ）の断面円弧状の弁体回動用脚片６０が軸方向に突出するように一体に設けられ、その各弁体回動用脚片６０の先端部外側には、カバー部材係止突起６１が設けられ、前記各弁体回動用脚片６０の先端部には先細状の傾斜ガイド部６２を備えている。
【００４５】
前記弁体回動用脚片６０の円弧状外面は、弁体１９の外径寸法よりもわずかに小さく設定され、カバー部材係止突起６１間の寸法は、半径方向に対向する前記カバー部材係止突起挿入用溝４０間の寸法およびカバー部材係止突起係止用溝４１間の寸法よりも小さく設定され、また弁体位置確認用溝４３間の寸法よりも大きく設定されている。したがって、前記カバー部材３をブシュ４５に装着するときは、本体３２のカバー部材係止突起挿入用溝４０から挿入できるが、前記弁体位置確認用溝４３からカバー部材係止突起６１を挿入することができないように構成されている。
【００４６】
また、カバー部材３におけるカバー部材係止突起６１を、本体３２におけるカバー部材係止突起挿入用溝４０から挿入して、カバー部材３を所定角度（カバー部材係止突起挿入用溝４０から外れた位置まで）回動させれば、カバー部材３が本体３２に係止され、カバー部材３の離脱が防止されるように構成されている。
【００４７】
前記吸込口本体３２と、ブシュ４５を浴槽壁面１１に装着させるには、吸込口本体３２のフランジ部３５を浴槽壁面１１の外周面に対向させ、パッキン６３を嵌設装着したブシュ４５を、浴槽１の内部側から開口部４４に挿入して、ブシュ４５の雄ねじ５０を本体３２の雌ねじ３８に螺合させて所定位置までねじ込むことにより、吸込口本体３２のフランジ部３５と浴槽壁面１１の外周面との間は、パッキン３６によりシールされ、フランジ部４７と浴槽壁面１１の内周面との間は、パッキン６３によりシールされる。これにより、吸込口本体３２とブシュ４５が、浴槽１に位置決め固定される。
【００４８】
この実施形態の場合は、吸込口本体３２における外側筒状部３７における雌ねじ３８とブシュ４５における雄ねじ５０の螺合距離代を比較的長くしていると共に、弁体１９における弁体回動用脚片用凹部２８の長さと、カバー部材３における弁体回動用脚片６０の係合が軸方向に比較的長く、また本体３２におけるカバー部材係止突起係止用溝４１の軸方向の溝寸法を、カバ−部材係止突起６１より比較的長く３倍程度あるので、この範囲において、カバー部材係止突起係止用溝４１とカバ−部材係止突起６１とが係合していればよいので、浴槽１の種々の壁厚寸法に対応させて、本体３２およびブシュ４５およびカバー部材３を設置することができる。
【００４９】
前記実施形態では、カバー３内に流入した湯水は、筒状内周面の弁体１９内から出口３４まで、ほとんど障害物がないので、湯水をほぼ層流状態で流すことができるため、弁体１９内で異物が留まることがない。
【００５０】
次に、弁体１９の装着時の動作と、吸込口５の動作について説明する。
浴槽１内にブシュ４５が壁面１１を圧着して止水状態で吸込口本体３２に取り付けられた状態で、Ｏリング６７を装着した弁体１９を吸込口本体３２の内側円筒部３３にＯリング６７を弾性変形させながら圧入する時、弁体１９における位置規制用凸部２３が底板部６４の表面から弁体位置規制用溝６６に落ち込むように貫入すると、作業者は手の触感により弁体１９が所定の位置に装着されたことが確認でき、前記の位置規制用凸部２３と１８０度反対側にある弁体１９側の開口部２７は、図１０（ｂ）に示すように、吸込口本体３２における出口部３４と、位相が９０°変位しているので、前記開口部２７と、前記出口部３４が連通していない閉弁状態で装着することができる。
【００５１】
また、図１０（ａ）に示すように、前記弁体１９における押圧片３０の円弧状外面３１が、弁体位置確認用溝４３に落ち込んで係合するとき、内側円筒部３３の開口端部内周面に圧着係合して半径方向内側に縮径変形するように弾性変形した状態から開放され時の手の触感、および押圧片３０が弁体位置確認用溝４３に位置していることの目視による確認が容易に行なえるように構成されている。
【００５２】
また、前記位置規制用凸部２３が底板部６４の上面にある状態では、弁体１９が内側円筒部３３に収まらず、内側円筒部３３から突出した状態になるので、この点でも、弁体１９の装着の確認ができるようにされている。
【００５３】
このようにして、弁体１９が内側円筒部３３内の所定の位置に装着された状態で、カバー３の弁体回動用脚片６０におけるカバー係止突起６１を、内側円筒部３３におけるカバー部材係止突起挿入用溝４０から挿入させる（なお、一対のカバー係止突起６１間の寸法は、内側筒状体３９における弁体位置確認用溝４３間の外径寸法よりも大きいので、この溝４３からは前記突起６１を挿入することはできない。）。次いで、カバー３を弁体の軸方向に装着するように移動させると、カバー３における弁体回動用脚片６０が弁体１９の弁体回動用脚片用凹部２８に挿入され、続いて、カバー３における分割環状部５５が、ブシュ４５のフランジ部４７に傾斜ガイド面５９によりガイドされながら装着されると共に、係止部４９が半径方向外側に弾性変形して前記フランジ部４７の環状係止溝４８に嵌設され、分割環状部５５がフランジ部４７の周側面に当接され、また、環状の段部５４が、ブシュ４５におけるフランジ部４７の浴槽内前面側の周縁部に当接された状態で、ブシュ４５にカバー部材３が装着される。
【００５４】
この状態の弁体１９の位置は閉弁状態であり、この状態からカバー３を時計方向（右周り）に９０°回動させると、図１１（ａ）および（ｂ）に示すように、弁体１９が時計方向に回動され、また弁体１９における位置規制用凸部２３が弁体位置規制用溝６６に沿って移動し、弁体における開口部２７と、吸込口本体３２における出口３４ａが一致して、全開状態の開弁状態となる。また、カバー部材係止突起６１が、カバー部材係止突起係止用溝４１に沿って９０°度回動されて、カバー部材係止突起挿入用溝４０から外れて、カバー部材３が浴槽１の内側へ移動して離脱するのを防止され、また、カバー部材３の浴槽外側方向への移動は、前記段部５４とフランジ部４７の前面の係合により防止される。
【００５５】
その結果、吸込口５における流路Ｌは、カバー部材３，開閉弁４，出口３４ａ，出口部３２の順に連通状態になって、湯水１２が吸込口５を流れることができる。
【００５６】
すなわち、浴槽１内の湯水１２は、カバー部材３の多数の孔５２を通り、フィルターを兼ねたカバー部材３でごみなどが除去されて清浄になった後、出口部３２から吸込み側の循環パイプ２に流れる。その後、湯水１２は、循環配管路９を介して吐き出し口１４から噴流１７として浴槽１内に噴出して循環する。
【００５７】
カバー部材３の清掃をする場合には、前記と逆に反時計方向に９０°回動して、浴槽内側に移動させるようにして、カバー部材３を離脱させる。
この状態では、前記開閉弁４は、弁体１９が９０°回動されて、弁体１９が閉弁状態の位置になるので、流路Ｌは閉じた状態とされる。
【００５８】
このようにして、カバー部材３の着脱動作に連動して開閉する開閉弁４により、湯水１２の流路Ｌを連通したり遮蔽したりすることができる。
【００５９】
なお、カバー部材３が何らかの原因で吸込口５から離脱している状態では、弁体１９は９０°回動された状態になるので、閉弁位置に回動移動され、開閉弁４は流路Ｌを遮蔽した状態になるので、吸込口５に異物が吸い込まれることがない。
【００６０】
ところで、上述のようにカバー部材３が吸込口５から離脱した状態でジェット噴流バス６を使用している場合、開閉弁４は流路Ｌを遮蔽するが、この状態が長時間続くと、循環ポンプ７に大きな負荷がかかる恐れがある。そのため、循環ポンプ７の吸込み側または吐出側の循環配管路９には圧力検出器Ｐなどが設けられ、ジェット噴流バス６を制御する制御部６９にはタイマーＴなどが設けられている。開閉弁４が流路Ｌを遮蔽しているときは、循環配管路５内の圧力が大きく変化するので、圧力検出器Ｐは、所定値以上の圧力変化を検出して制御部６９に信号を出力する。そして、この信号に基づいて、所定値以上の圧力変化が検出された時点からターマーＴで所定時間（たとえば、約８秒）を計測し、この所定時間経過後、制御部６９から出力される信号により循環ポンプ７を自動停止してこれを保護するようにしている。
【００６１】
なお、図示を省略するが、吸込口５から循環ポンプ７にいたる循環パイプ２の部分に、制御部６９の信号により作動されて、開弁される空気吸い込み弁を設け、前記圧力検出器Ｐの出力信号に基づいて制御部６９から出力される信号により、前記空気吸い込み弁を開弁させて、循環パイプ２に流入させることにより、吸込口５側の負圧状態を低減させて、湯水１２の吸い込み力を小さくするようにしてもよい。
【００６２】
前記実施形態にかかる吸込口５においては、カバー部材３が吸込口５から外れている状態では、常時、吸込口の流路Ｌを確実に遮蔽している状態とすることができる。これにより、吸込口５への異物の吸い込み現象を確実に防止することができる。また、開閉弁４は、電気的信号の代りに機械的な作動により確実に開閉動作するので信頼性が高い。
【００６３】
本発明では、ジェット噴流バス６の使用中，停止中のいずれの場合でも、カバー部材３を吸込口５から離脱させると、自動的に開閉弁４が閉弁方向に作動されて、流路Ｌが自動的に遮蔽される。したがって、カバー部材３を吸込口５に取付けるのを忘れて循環ポンプ７を運転した場合や、ジェット噴流バス６の使用中に何らかの原因によりカバー部材３が外れたような場合でも、開閉弁４が流路Ｌを確実に且つ直接的に遮蔽するので、異物が吸込口に吸い込まれる恐れがなく安全である。
【００６４】
また、ジェット噴流バス６の使用中に、カバー部材３が何らかの原因で外れて開閉弁４が閉じた場合には、循環配管路５内の大きな圧力変化を圧力検出器Ｐで検出し、タイマーＴで計測される所定時間経過後に循環ポンプ７を自動的に停止するので、循環ポンプ７を保護することができる。
【００６５】
本発明を実施する場合、ブシュ４５の円筒部４６の内周面に環状溝を設けて、止水用Ｏリングを嵌設し、吸込口本体３２における内側円筒部３３との間で止水するようにしてもよい。
【００６６】
【発明の効果】
本発明は上述のように構成したので、請求項１の発明によると、浴槽内の吸込口に、回動可能な湯水が流通可能なフィルターを兼ねたカバー部材が、取り付けられているので、吸入口の構造を簡単な構造とすることができる。
【００６７】
また、請求項１の発明によると、浴槽の内側に取り付けられるブシュ部材を利用して、カバー部材を回動可能に、軸方向に移動しないように係合させることができ、カバー部材の取り付け構造が簡単になる。
【００６８】
請求項２の発明によると、カバー部材を回動させるだけで、これに係合する弁体を回動させて流路を開閉制御することができ、部品点数の少ない簡単な構造の吸込口構造とすることができ、安価な吸込口構造とすることができる。
【００６９】
請求項３の発明によると、カバー部材を回動させるだけで、これに係合する弁体を回動させて、開閉弁の開閉動作を行なうことができ、特に、前記カバー部材が前記吸込口から離脱している状態のときは、前記開閉弁が前記流路を遮蔽するようにしたので、カバー部材が離脱している時には、弁体を閉弁位置に回動させて流路を遮蔽することができ、しかも、吸込口の構造が簡単で、部品点数を少なくてすみ、安価な吸込口構造とすることができる。
【００７０】
請求項４の発明によると、吸込口本体における円筒部内から突出しないように弁体が嵌設されているので、カバー部材がない状態でも、弁体に触れて作動される恐れがなく、また弁体を誤って操作せれる恐れを少なくすることができる。また、弁体が自由に回動することがなく、これに係合するカバー部材を所定角度回動させるだけで、弁体を所定角度回動させて開閉動作させることができる。
【００７１】
請求項５の発明によると、弁体に弁体回動用脚片用凹部を設けると共にカバー部材に弁体回動用脚片を設けるだけで、弁体をカバー部材に係合させることができ、また、カバー部材により容易に弁体を回動動作させて、弁の開閉動作をさせることができる。また弁体回動用脚片に突起を設けると共に、吸込口本体に突起係止用溝を設けるだけで、カバー部材を吸込口本体に係止させて、カバー部材が離脱するのを防止することができる。
【図面の簡単な説明】
【図１】本発明の吸込口装置を備えた循環式浴槽を示す概略説明図である。
【図２】本発明の吸込口装置の一実施形態を示す一部縦断側面図である。
【図３】  （ａ）は吸込口本体の正面図、（ｂ）は（ａ）のＡ−Ａ線断面図である。
【図４】  （ａ）は図３（ａ）のＢ−Ｂ線断面図、（ｂ）は図３（ａ）のＣ矢視図である。
【図５】  （ａ）はブシュの正面図、（ｂ）は一部縦断側面図、（ｃ）は（ｂ）の一部を拡大して示す図である。
【図６】  （ａ）は開閉弁の平面図、（ｂ）は正面図、（ｃ）は（ｂ）のＦ−Ｆ線断面図、（ｄ）は側面図である。
【図７】  （ａ）カバー部材の正面図、（ｂ）は底面図である。
【図８】（ａ）はカバー部材の一部縦断側面図、（ｂ）は（ａ）のＤ−Ｄ線断面図、（ｃ）は（ａ）の一部を拡大して示す図、（ｄ）は（ｃ）のＥ−Ｅ線断面図である。
【図９】  弁体を取り付けるための段付きボルトを示す正面図および平面図である。
【図１０】  （ａ）は、開閉弁が閉弁状態における弁体の上部付近の係合状態を示す説明図、（ｂ）は、その時の弁体の下部付近を示す説明図である。
【図１１】  （ａ）は、開閉弁が開弁状態にける弁体の上部付近の係合状態を示す説明図、（ｂ）は、その時の弁体の下部付近を示す説明図である。
【符号の説明】
１  浴槽
２  循環パイプ
３  カバー部材
４  開閉弁
５  吸込口
６  ジェット噴流バス
７  循環ポンプ
８  循環パイプ
９  循環配管路
１０  底面
１０ａ  湾曲部
１１  壁面
１２  湯水
１３  気泡
１４  吐き出し口
１５  給気管
１６  空気取り入れ口
１７  噴流
１８  底部
１９  弁体
２０  内向きフランジ
２１  筒状壁
２２  環状溝
２３  位置規制用凸部
２４  段付きボルト挿入用透孔
２５  ボルト挿通用凸部
２６  連結部収納用凹部
２７  開口部
２８  弁体回動用脚片用凹部
２９  スリット
３０  押圧片
３１  円弧状外面
３２  本体（吸い込み口）
３３  内側円筒部
３４  出口部
３５  フランジ部
３６  パッキン
３７  外側筒状部
３８  雌ねじ部
４０  カバー部材係止突起挿入用溝
４１  カバー部材係止突起係止用溝
４２  円柱状の凸部
４３  弁体位置確認用溝
４４  開口部
４５  ブシュ
４６  円筒部
４７  フランジ部
４７ａ  回動工具係合用透孔
４８  環状係止溝
４９  係止部
５０  雄ねじ
５１  表面板
５２  透孔
５３  周側面板
５４  環状の段部
５５  分割環状部
５６  スリット
５７  係止部
５８  係止凸部
５９  傾斜ガイド面
６０  弁体回動用脚片
６１  カバー部材係止突起
６２  傾斜ガイド部
６３  パッキン
６４  底板部
６５  インサート
６６  弁体位置規制用溝
６７  Ｏリング
６８  段付きボルト
６９  制御部
７０  回動工具係合用溝
７１  大径頭部
７２  中間軸部
７３  小径の雄ねじ軸部
ＣＬ  中心軸線
Ｌ  流路
【図１】
0003875089.tif 000002
【図２】
0003875089.tif 000003
【図３】
0003875089.tif 000004
【図４】
0003875089.tif 000005
【図５】
0003875089.tif 000006
【図６】
0003875089.tif 000007
【図７】
0003875089.tif 000008
【図８】
0003875089.tif 000009
【図９】
0003875089.tif 000010
【図１０】
0003875089.tif 000011
【図１１】
0003875089.tif 000012